(57)【要約】【課題】  第1の無線通信システムを利用する国の電波法令に従った周波数帯・信号形式・送信出力を、第2の無線通信システムにおける特定の信号の受信状況から設定することで、利用者の手を煩わすことなく運用することのできる無線通信装置を提供する。【解決手段】  本発明の無線通信システム１では、地域情報取得２は無線通信システムが現在存在する地域情報を取得する。情報記憶部４に記憶されている地域情報に対応する無線通信システムにおける通信設定情報を元に、地域情報判断部３は地域情報取得部２から取得された地域情報に基づいて無線通信システムにおいて設定可能な通信設定情報を判断する。通信パラメータ制御設定部５は地域情報判断３で判断された通信設定情報に基づいて無線通信システムにおける通信設定を制御する。【選択図】        図１
2004274723.tif 000002
【特許請求の範囲】
【請求項１】
他の無線通信システムとの間で無線通信をすることができる無線通信システムにおいて、
当該無線通信システムが現在存在する地域情報を取得する地域情報取得手段と、
上記地域情報に対応する当該無線通信システムにおける通信設定情報を記憶する記憶手段と、
上記地域情報取得手段から取得された地域情報に基づいて当該無線通信システムにおいて設定可能な通信設定情報を判断する地域情報判断手段と、
上記地域情報判断手段により判断された通信設定情報に基づいて当該無線通信システムにおける通信設定を制御する通信制御手段と、
を有することを特徴とする無線通信システム。
【請求項２】
請求項１に記載の無線通信システムにおいて、
上記地域情報取得手段はGPS(Global Positioning System)受信システムを含み、上記GPS受信システムで得られた位置情報を用いて、当該無線通信システムが現在存在する地域情報を特定することを特徴とする無線通信システム。
【請求項３】
他の無線通信システムとの間で無線通信をすることができる無線通信システムにおける無線通信装置において、
当該無線通信装置が現在存在する地域情報を取得する地域情報取得手段と、
上記地域情報に対応する当該無線通信装置における通信設定情報を記憶する記憶手段と、
上記地域情報取得手段から取得された地域情報に基づいて当該無線通信装置において設定可能な通信設定情報を判断する地域情報判断手段と、
上記地域情報判断手段により判断された通信設定情報に基づいて当該無線通信装置における通信設定を制御する通信制御手段と、
を有することを特徴とする無線通信装置。
【請求項４】
請求項３に記載の無線通信装置において、
上記地域情報取得手段はGPS(Global Positioning System)受信システムを含み、上記GPS受信システムで得られた位置情報を用いて、当該無線通信装置が現在存在する地域情報を特定することを特徴とする無線通信装置。
【請求項５】
他の無線通信システムとの間で無線通信をすることができる無線通信装置において、
他の無線通信システムから当該無線通信装置が使用されている地域で許容されている当該無線通信システムにおいて設定可能な通信設定情報を判断するための地域情報を受信する受信手段と、
上記受信手段により受信された地域情報により判断された通信設定情報に基づいて当該無線通信装置における通信設定を制御する通信制御手段と、
を有することを特徴とする無線通信装置。
【請求項６】
第２の無線通信システムとの間で無線通信をすることができる第1の無線通信システムにおいて、
国によって無線通信に利用可能な周波数帯や信号形式が異なる上記第1の無線通信システムの無線通信装置にて、上記第２の無線通信システムにおける所定の信号を受信する受信手段と、
該信号より上記第1の無線通信システムの無線通信装置の現在位置を特定する特定手段と、
上記第1の無線通信システムにおいて、該当する国の電波法令に従った周波数帯・信号形式・送信出力・利用可能時刻の少なくとも1つを設定して情報伝送を行うように制御する制御手段と
を有することを特徴とする無線通信システム。
【請求項７】
請求項６に記載の無線通信システムにおいて、
上記受信手段はGPS(Global Positioning System)受信システムを含み、上記GPS受信システムで得られた位置情報を用いて、当該無線通信システムが現在存在する地域情報を特定することを特徴とする無線通信システム。
【請求項８】
請求項６に記載の無線通信システムにおいて、
上記第2の無線通信システムとしての無線セルラー電話回線の基地局からの信号を受信し、該当する基地局の情報として含まれる、国際識別コード又は地域識別コードを用いて、該当無線通信装置の存在している国を把握することを特徴とする無線通信システム。
【請求項９】
第２の無線通信システムとの間で無線通信をすることができる第1の無線通信システムによる無線通信方法において、
国によって無線通信に利用可能な周波数帯や信号形式が異なる第1の無線通信システムの無線通信装置にて、第２の無線通信システムにおける所定の信号を受信するステップと、
該無線通信装置の現在位置を特定するステップと、
該当する国の電波法令に従った周波数帯・信号形式・送信出力・利用可能時刻の少なくとも1つを設定し、第1の無線通信システムの情報伝送を行なうように制御するステップと
を有することを特徴とする無線通信方法。
【請求項１０】
請求項９に記載の無線通信方法において、
上記受信するステップではGPS(Global Positioning System)受信システムを用い、上記GPS受信システムで得られた位置情報により、当該無線通信システムが現在存在する地域情報を特定することを特徴とする無線通信方法。
【請求項１１】
請求項９に記載の無線通信方法において、
上記第2の無線通信システムとしての無線セルラー電話回線の基地局からの信号を受信するステップと、
該当する基地局の情報として含まれる、国際識別コード又は地域識別コードを判別するステップと、
当該国際識別コード又は地域識別コードから、第1の無線通信システムに利用可能な周波数帯や信号形式や送信出力を参照するステップと、
その周波数帯と信号形式を設定するステップと
を備えたことを特徴とする無線通信方法。
【請求項１２】
広帯域を利用して無線通信を行う無線通信装置において、
上記無線通信装置の受信部は、
他の無線通信装置から送信される送信信号を受信して受信信号を出力する受信手段と、
上記受信手段により出力された上記受信信号を信号処理する信号処理手段と、
自らの無線通信装置の位置を検出する位置検出手段と、
上記自らの無線通信装置の位置に対する、上記信号処理手段の信号処理機能に影響を及ぼす通信周波数帯である被干渉周波数帯を記憶する記憶手段と、
上記位置検出手段により検出された位置情報に対応して、上記記憶手段に記憶された上記被干渉周波数帯から自らの無線通信装置の被干渉周波数帯を特定する被干渉周波数帯特定手段と、
上記被干渉周波数帯特定手段により特定された被干渉周波数成分を上記受信信号から除去するように制御する被干渉周波数成分除去制御手段とを備えることを特徴とする無線通信装置。
【請求項１３】
請求項１２記載の無線通信装置において、
上記受信手段と上記信号処理手段との間に上記受信信号の周波数帯を選択してフィルタリング処理可能な帯域制限フィルタ手段を設け、上記信号処理手段はローノイズアンプ(LNA:Low Noise Amp)を含むものであり、
上記被干渉周波数成分除去制御手段は、上記帯域制限フィルタ手段に対して上記被干渉周波数成分を上記受信信号から除去するように制御することを特徴とする無線通信装置。
【請求項１４】
請求項１２記載の無線通信装置において、
上記受信手段は上記受信信号の周波数帯を選択可能なアンテナ部を設け、上記信号処理手段はローノイズアンプ(LNA:Low Noise Amp)を含むものであり、
上記被干渉周波数成分除去制御手段は、上記アンテナ部に対して上記被干渉周波数成分を上記受信信号から除去するように制御することを特徴とする無線通信装置。
【請求項１５】
広帯域を用いて無線通信を行う無線通信装置において、
上記無線通信装置の受信部は、
他の無線通信装置から送信される送信信号を受信して受信信号を出力する受信手段と、
上記受信手段により出力された上記受信信号を信号処理する信号処理手段と、
上記信号処理手段から出力される出力信号のデータの中から、自らの無線通信装置の位置情報に対する、上記信号処理手段の信号処理機能に影響を及ぼす通信周波数帯である被干渉周波数情報を抽出する被干渉周波数情報抽出手段と、
上記位置情報に対応して、上記被干渉周波数情報抽出により抽出された上記被干渉周波数帯から自らの無線通信装置の被干渉周波数帯を特定する被干渉周波数帯特定手段と、
上記被干渉周波数帯特定手段により被干渉周波数成分が特定される以前には、予め自らの無線通信装置の位置情報に対応する被干渉周波数成分を初期設定する初期設定手段と、
上記初期設定手段により初期設定された被干渉周波数成分または上記被干渉周波数帯特定手段により特定された被干渉周波数成分を上記受信信号から除去するように制御する被干渉周波数成分除去制御手段とを備えることを特徴とする無線通信装置。
【請求項１６】
請求項１５記載の無線通信装置において、
位置情報に対する、上記信号処理手段の信号処理機能に影響を及ぼす送信パワーレベル以上の通信周波数帯である被干渉周波数帯を記憶する記憶手段を備え、
上記被干渉周波数情報抽出手段により抽出される情報が位置情報のみのときに、上記被干渉周波数帯特定手段は、上記位置情報に対応して、上記記憶手段に記憶された上記被干渉周波数帯から自らの無線通信装置の被干渉周波数帯を特定することを特徴とする無線通信装置。
【請求項１７】
請求項１５記載の無線通信装置において、
上記受信手段と上記信号処理手段との間に上記受信信号の周波数帯を選択してフィルタリング処理可能な帯域制限フィルタ手段を設け、上記信号処理手段はローノイズアンプ(LNA:Low Noise Amp)を含むものであり、
上記被干渉周波数成分除去制御手段は、上記帯域制限フィルタ手段に対して上記被干渉周波数成分を上記受信信号から除去するように制御することを特徴とする無線通信装置。
【請求項１８】
請求項１５記載の無線通信装置において、
上記受信手段は上記受信信号の周波数帯を選択可能なアンテナ部を設け、上記信号処理手段はローノイズアンプ(LNA:Low Noise Amp)を含むものであり、
上記被干渉周波数成分除去制御手段は、上記アンテナ部に対して上記被干渉周波数成分を上記受信信号から除去するように制御することを特徴とする無線通信装置。
【請求項１９】
複数の通信周波数帯を含む帯域を用いて無線通信を行う無線通信装置において、
上記無線通信装置の受信部は、
他の無線通信装置から送信される送信信号を受信して受信信号を出力する受信手段と、
上記受信手段により出力された上記受信信号を信号処理する信号処理手段と、
自らの無線通信装置の位置に対する、上記信号処理手段の信号処理機能に影響を及ぼす通信周波数帯である被干渉周波数帯の設定を外部から受け付ける設定受付手段と、
上記設定受付手段により任意に設定された被干渉周波数成分を上記受信信号から除去するように制御する被干渉周波数成分除去制御手段とを備えることを特徴とする無線通信装置。
【請求項２０】
複数の通信周波数帯を含む帯域を用いて各無線通信装置間で無線通信を行う無線通信方法において、
上記無線通信装置の受信処理は、
他の無線通信装置から送信される送信信号を受信して受信信号を出力する受信ステップと、
上記受信ステップにより出力された上記受信信号を信号処理する信号処理ステップと、
自らの無線通信装置の位置を検出する位置検出ステップと、
記憶手段に記憶された、上記無線通信装置の位置に対する、上記信号処理ステップの信号処理機能に影響を及ぼす通信周波数帯である被干渉周波数帯を読み出す読み出しステップと、
上記位置検出ステップにより検出された位置情報に対応して、上記記憶手段に記憶された上記被干渉周波数帯から自らの無線通信装置の被干渉周波数帯を特定する被干渉周波数帯特定ステップと、
上記被干渉周波数帯特定ステップにより特定された被干渉周波数成分を上記受信信号から除去するように制御する被干渉周波数成分除去制御ステップとを備えることを特徴とする無線通信方法。
【発明の詳細な説明】
【技術分野】
【０００１】
本発明は、例えば、広帯域通信システムに適用して好適な無線通信システム、無線通信装置及び無線通信方法に関するものである。
【背景技術】
【０００２】
近年、特許文献１に示されるようなUltra Wideband（以下UWBと略記する。）通信方式に代表される広帯域通信システムの開発が活発である。現在、使用認可されているシステムは1チャンネルあたりの周波数帯域幅が数十MHz程度である。そこで100Mbps以上の高速伝送を行おうとした場合には、多値変調等を使って伝送レートを稼ぐ必要がでる。
【０００３】
つまり高いS/N比が要求されてしまう。そこで他のシステムが干渉を受けない程度の非常に低い送信レベルで、その代わり500MHz以上の周波数帯域を使うシステムを認可する動きが高まっている。その１つの例がUWBである。例えばUWBシステムの場合、他のシステムが使用している周波数帯も使うことができる。つまり広帯域通信システムの場合には、他のシステムへ干渉を与えないこと（与干渉）は絶対条件であるが、同時に他のシステムから干渉を受けないこと（被干渉）も重要である。
【０００４】
被干渉を避けるため、例えば受信機側ではLNA(Low Noise Amp)の前段に、例えば帯域制限フィルタ(以降BPFという。）を入れる。これはLNAが他のシステムのパワーで飽和し、増幅処理機能が低下するのを防ぐ為である。つまり広帯域通信システムが使用する周波数領域で、他システムの周波数領域を帯域制限フィルタで除去することが重要になる。
【０００５】
また、従来IEEE802.11準拠の無線信号を用いて、複数の無線通信装置の間で無線ローカルエリアネットワークを構築するシステムが一般的に知られている。近年、無線ローカルエリアネットワークよりも狭い範囲をカバーし、なおかつ超高速通信を実現するための無線パーソナルエリアネットワークを構築するシステムも提案されている。この無線パーソナルエリアネットワークのシステムとしては、IEEE802.15.3準拠の無線通信システムが規格化されている。
【０００６】
さらに、この無線パーソナルエリアネットワークでは、例えば、UWB無線信号を用いた高速無線伝送方式の検討が進められている。また、IEEE802.11b準拠の無線ローカルエリアネットワークでは、国ごとに共通の周波数帯域を利用する電波法令に則った形で無線通信装置が利用されている。
【０００７】
また、これとは別に、国ごとに電波法令が異なるIEEE802.11a準拠の無線ローカルエリアネットワークでは、利用者が利用する国で利用が許可されている周波数帯域に差がある。そのため、IEEE802.11a準拠の無線ローカルエリアネットワークでは、アクセスポイントから送信される信号で利用する国を識別するための情報を盛り込み、端末となる無線通信装置で利用可能な周波数チャネルを報知する手段が必要になっていた。
【０００８】
そこで、無線パーソナルエリアネットワークのシステムの信号形式として、UWB通信システムの利用が検討されている。ここでは、ある無線通信システムにおいて、利用可能な通信システムを検出し、その国で利用可能な周波数帯を選択する方法が要求されている。
【特許文献１】特開2002-335252号公報
【発明の開示】
【発明が解決しようとする課題】
【０００９】
しかし、上述した従来の広帯域通信システムにおいて、広帯域無線端末は位置を移動する。例えば他の国へ広帯域無線端末を移動させた場合、当然国毎にシステムの運用が異なるので、想定していない周波数を使用しているシステムに関しては、うまく除去ができずに、被干渉問題が出てしまうという不都合があった。
【００１０】
そこで、本発明は、かかる点に鑑みてなされたものであり、広帯域無線端末が移動したとしても他のシステムからの被干渉を防止することができる無線通信システムおよび無線通信方法を提供することを課題とする。
【００１１】
また、現在IEEE802.15.3準拠の無線通信システムにおいて利用される信号形式は、広帯域に信号が拡散される信号を用いるため、他の無線通信システムのために利用する周波数帯域が、その広帯域拡散された信号の周波数帯域に重なってしまう危険があった。そのため、国ごとに定められた周波数帯の利用方法に基づいて、UWB無線信号に利用が許可される周波数帯域や、信号形式が制限されるという問題があった。
【００１２】
これより、ある国の電波法令に準拠して製造されたUWB無線通信装置が、他の国の電波法令に準じていないため、その国で利用できないという問題を生ずる。さらには、他国の設定をなされたUWB無線通信装置が、当該国において送信が許可されていない周波数帯や信号形式で信号を送信してしまうという危険があった。
【００１３】
また、UWB信号は、広帯域に拡散されているため、近隣に微弱な電波信号等を受信する例えば電波天文台など施設が存在する地域では、その利用が制限させる可能性がある。また、ある国で購入したUWB無線通信装置が、別の国に移動した場合において使えないシステムであれば、国際的に1つの無線通信システムが普及する可能性が阻害されるという問題があった。
【００１４】
国ごとに利用可能な周波数チャネルが異なるIEEE802.11a準拠の無線ローカルエリアネットワークでは、利用する国の電波法令等に設定をあわせて出荷し、さらに当該国内以外での利用が行なえないという問題があり、利用者においても、指定された国以外での利用が制限されるなどの、利用上の不具合を容認しなければならなかった。
【００１５】
また、従来の移動無線端末装置では、その無線通信システムにおいて利用可能な全周波数帯域をスキャンし、利用可能な通信システムを選択する方法が用いられているため、近隣に利用可能な通信システムが存在しなければ、本来の無線通信システムの動作を設定できないという問題があった。
【００１６】
つまり、セルラーシステムの国際ローミングサービスのように、同じ信号形式で変調された信号を検出するために、全ての国で利用されている周波数域に広げてスキャンし、検出できた周波数帯や所定の信号から国識別を行ない、その国の周波数帯域でのみ利用を行なう技術が開示されており、その無線通信システムの基地局の電波到達範囲外いる移動端末では、何ら動作をなし得ないという問題が残っていた。
【００１７】
そこで、本発明は、第1の無線通信システムを利用する国の電波法令に従った周波数帯・信号形式・送信出力を、第2の無線通信システムにおける特定の信号の受信状況から設定することで、利用者の手を煩わすことなく運用することのできる無線通信装置を提供することを課題とする。
【００１８】
さらに、本発明は、第2の無線通信システムにおける特定の信号から、特に第1の無線通信システムの運用を制限する必要が生じる地域では、その地域における第1の無線通信システムの利用可能な周波数帯域、信号形式、送信出力などを制御する無線通信システムを提供することを課題とする。
【課題を解決するための手段】
【００１９】
上記課題を解決し、本発明の目的を達成するため、本発明の無線通信システムは、まず、地域情報取得手段により無線通信システムが現在存在する地域情報を取得する。記憶手段に記憶されている地域情報に対応する無線通信システムにおける通信設定情報を元に、地域情報判断手段により地域情報取得手段から取得された地域情報に基づいて当該無線通信システムにおいて設定可能な通信設定情報を判断する。そして、通信制御手段により地域情報判断手段で判断された通信設定情報に基づいて無線通信システムにおける通信設定を制御する。
【００２０】
本発明の無線通信システムは、国によって利用可能な周波数帯や信号形式が異なる第1の無線通信システムにおいて、その国の電波法令に基づいた周波数帯・信号形式・送信出力で情報伝送を行なうために、第1の無線通信システムの無線通信装置が、現在の位置を把握する手段を備える。
【００２１】
さらに、その位置を把握する手段として、GPS(Global Positioning System)受信システムで得られた位置情報を用いたり、また、第２の無線通信システムからの、例えばセルラー無線電話システムの基地局からの下り制御情報を受信して、該当する国識別コードあるいは地域識別コードを判別し、その国の電波法令に従った周波数帯・信号形式・送信出力一覧から、第1の無線通信システムの情報伝送に必要な周波数帯・信号形式を設定し、設定された状態で通信を行なう。
【００２２】
あるいは別の位置把握手段として、第２の無線通信システムからの無線LAN(Local Area Network)システムのアクセスポイントにおいてビーコン信号を受信して、該当する国識別コードあるいは地域識別コードを判別し、その国の電波法令に従った周波数帯・信号形式・送信出力一覧から、第1の無線通信システムの情報伝送に必要な周波数帯・信号形式を設定し、設定された状態で通信を行なう。
【発明の効果】
【００２３】
無線通信システムの無線通信装置にて、第２の無線通信システムにおける所定の信号を受信し、該信号より無線通信装置の現在位置を把握し、第1の無線通信システムにおいて、該当する国の電波法令に従った周波数帯・信号形式・送信出力・利用可能時刻の少なくとも1つのパラメータを設定して情報伝送を行なうことにより、第２の無線通信システムの基地局は第1の無線通信システムの動作を把握する必要がなくなるため、第1の無線通信システムを利用する国の電波法令に従った周波数帯・信号形式・送信出力を、第2の無線通信システムにおける特定の信号の受信状況から設定することにより、利用者の手を煩わすことなく無線通信を行うことができる。また、第2の無線通信システムにおける特定の信号から、特に第1の無線通信システムの運用を制限する必要が生じる地域では、その地域における第1の無線通信システムの利用可能な周波数帯域、信号形式、送信出力などを制御するようにして第1の無線通信システムの動作を定義することができるという効果を奏する。
【発明を実施するための最良の形態】
【００２４】
以下に、本発明の実施の形態について適宜、図面を参照しながら詳細に説明する。
図１に、本発明の実施の形態に適用される無線通信システムの構成図を示す。図１に示す無線通信システム１は、第1の無線通信システムを構成し、第２の無線通信システムとの間で無線通信をすることができるように構成されるものである。
図１において、無線通信システム１は、この無線通信システムが現在存在する地域情報を取得する地域情報取得部２と、地域情報に対応するこの無線通信システムにおける通信設定情報を記憶する情報記憶部４と、地域情報取得部２から取得された地域情報に基づいてこの無線通信システムにおいて設定可能な通信設定情報を判断する地域情報判断部３と、地域情報判断部３により判断された通信設定情報に基づいてこの無線通信システムにおける通信設定を制御する通信パラメータ制御設定部５とを有して構成される。
【００２５】
この無線通信システム１では、まず、地域情報取得部２により無線通信システムが現在存在する地域情報が取得される。この無線通信システム１は、国によって利用可能な周波数帯や信号形式が異なる第1の無線通信システムを構成し、地域情報取得部２は第1の無線通信システムの無線通信装置が存在する現在の位置を把握する。
【００２６】
情報記憶部４に記憶されている地域情報に対応する無線通信システムにおける通信設定情報を元に、地域情報判断部３により地域情報取得部２から取得された地域情報に基づいてこの無線通信システム１において設定可能な通信設定情報が特定されるように判断される。地域情報判断部３は、その国の電波法令に基づいた周波数帯・信号形式・送信出力で情報伝送を行なうために通信設定情報を特定する。
【００２７】
そして、通信パラメータ制御設定部５により地域情報判断部３で判断された通信設定情報に基づいて無線通信システム１における通信設定が制御される。通信パラメータ制御設定部５は、その国の電波法令に従った周波数帯・信号形式・送信出力一覧から、第1の無線通信システムの情報伝送に必要な周波数帯・信号形式を設定するように制御し、設定された状態で図示しない通信部により通信を行なうことができる。
ここで説明している広帯域無線システムはUWB通信方式に適用される通信システムである。
【００２８】
図8は2002年初めの、各国の5GHz帯の周波数使用状況を示す図であり、図８Ａは欧州、図８Ｂは米国、図８Ｃは日本である。
図８Ａに示す欧州では、送信パワーレベルP2の5.15GHz〜5.35GHz帯W1、送信パワーレベルP1の5.45GHz〜5.725GHz帯W2が使用されている。
【００２９】
図８Ｂに示す米国では、送信パワーレベルP5の5.15GHz〜5.25GHz帯W3、送信パワーレベルP4の5.25GHz〜5.35GHz帯W4、送信パワーレベルP3の5.725GHz〜5.825GHz帯W5が使用されている。
【００３０】
図８Ｃに示す日本では、送信パワーレベルP6の5.15GHz〜5.25GHz帯W6が使用されている。
【００３１】
このように、日・米・欧で使用されている周波数帯域はそれぞれ微妙に異なることがわかる。これは5GHz帯の例だが、どの周波数帯においても同様であり、使っている周波数帯もあれば、使われていない周波数帯も当然存在する。
【００３２】
一方で広帯域通信装置の場合、他のシステムの周波数帯を受信側の帯域制限フィルタで除去することが望ましい。これはLNAの飽和を防ぐ為である。しかしむやみに除去範囲を広げたのでは、今度は受信性能の劣化を招いてしまう。出来る限り除去範囲は狭いことが望ましい。
【００３３】
例えばUWB通信方式が普及しノート式パーソナルコンピュータ（以下、ノートＰＣという。）に入れられた場合、そのノートＰＣを持って世界を旅行すると、国毎に他のシステムに使われている周波数が異なるので、うまく上述した被干渉周波数帯Ｗ１〜Ｗ６となる周波数成分を除去することができないという問題が出る。そこで、本発明の実施の形態では、以下に説明する構成および動作により適切に上述した被干渉周波数帯Ｗ１〜Ｗ６となる周波数成分を除去することができる。
【００３４】
図２は本発明の第１の実施の形態に適用されるUWBシステムの受信装置の構成を示すブロック図である。
図２において、アンテナ１１からはUWB信号が受信され、BPF12により不要な周波数成分が除去され、LNA13で信号は増幅された後、復調部１４で信号が復号される。これらの動作は中央制御部１５で制御されている。
【００３５】
一方、本発明の第１の実施の形態の受信装置にはGPS受信機21が内蔵されており、アンテナ２０からGPS信号を受信し、GPS受信機21で位置情報が検出され、その情報はメモリ２２に送られる。このメモリ２２には位置情報とそれに対応した被干渉周波数帯である排除すべき周波数帯の情報が入っている。この情報に従い、中央制御部１５は、例えばBPF12を制御することにより、このUWB受信装置に干渉を与える他システムによる被干渉周波数帯である周波数帯を除去するのである。
【００３６】
ここで、アンテナ１１は、他の無線通信装置から送信パワーで送信される送信信号を受信して受信信号を出力する受信手段を構成し、LNA13は、アンテナ１１により出力された受信信号を信号処理する信号処理手段を構成し、GPS受信機21は、自らの無線通信装置の位置を検出する位置検出手段を構成し、メモリ２２は、無線通信装置の位置に対する、LNA13の信号処理機能に影響を及ぼす送信パワーレベル以上の通信周波数帯である被干渉周波数帯を記憶する記憶手段を構成する。
【００３７】
具体的には、中央制御部１５は、GPS受信機21により検出された位置情報を検出して取り込む位置検出部１６と、位置検出部１６で検出して取り込まれた位置情報に基づいてメモリ２２に記憶された被干渉周波数帯を参照するメモリ参照部１７を有して構成される。
【００３８】
また、中央制御部１５は、GPS受信機21により検出された位置情報に対応して、メモリ２２に記憶された被干渉周波数帯から自らの無線通信装置の被干渉周波数帯を特定する被干渉周波数帯特定部１８と、被干渉周波数帯特定部１８により特定された被干渉周波数成分を受信信号から除去するように制御する被干渉部周波数成分除去制御部１９を備え、他の通信周波数帯を含む帯域を用いて無線通信を行う際に、自らの無線通信装置の位置情報を用いて、LNA13の信号処理機能に影響を及ぼすような被干渉周波数帯を除去するように構成される。
【００３９】
ここで、図2に示す位置検出部１６及びメモリ参照部１７は図1に示した地域情報取得部2に対応し、図2に示す被干渉周波数帯特定部１８は図1に示した地域情報判断部３に対応し、図2に示すメモリ２２は図1に示した情報記憶部４に対応し、図2に示す被干渉部周波数成分除去制御部１９は図1に示した通信パラメータ制御設定部５に対応する。
【００４０】
図３はメモリ２2に記憶される国別の被干渉周波数帯を示すテーブルの例である。
ここで、上述した中央制御部１５の被干渉周波数帯特定部１８はGPS受信機21から得られた位置情報となるGPS情報23から、例えば国名２４を特定し、干渉となる除去すべき周波数帯２５を割り当て、この干渉となる除去すべき周波数帯２５の情報を中央制御部１５の被干渉部周波数成分除去制御部１９に送る。
【００４１】
中央制御部１５の被干渉部周波数成分除去制御部１９は、その干渉となる除去すべき周波数帯２５の情報を元にBPF12を制御する。BPF12に対する制御方法に関しては実装依存であるが、具体的な例を以下に列記した。
前提として，BPF12は、受信側の狭帯域妨害波を排除するためのノッチフィルター(notch filter)とする。
【００４２】
アナログフィルター(Analog filter)を、大雑把に分けて，以下の様な手法が考えられる。
【００４３】
第１に、ノッチフィルターバンク(notch filter bank)が複数並んでいて，スイッチでそれらを切り替えてオンまたはオフする。
【００４４】
第２に、コイルＬおよびコンデンサCでノッチフィルターを構成しておき，コイルL又はコンデンサCを電圧などで制御して帯域を可変にする。
【００４５】
第３に、機械的な共振子によるノッチフィルターをもっており，その中心周波数を共振条件変更手段で動かす。
【００４６】
また、BPF12に対する制御に限らず、以下のように、アンテナ１１に対して帯域制限を行っても良い。
【００４７】
第４に、アンテナ１１の周波数特性を変え可能に構成して、切り替え部を切り替える。
【００４８】
第５に、アンテナ１１に適用周波数帯域を切り替え可能なアダプティブ・アレイ・アンテナ(adaptive Array antenna)を使う。
【００４９】
上述した第４と第5に関してはBPF2以外のアンテナ１１に対して制御する方法で、本実施の形態の応用例である。
【００５０】
例えば、第４はパッチ(patch)系アンテナなどにスロット(slot)等の切り欠きを入れて，ノッチ(notch)を作ることが出来る。ダイオード・スイッチ(diode SW)等で一部の電極をオンまたはオフするなどして，周波数特性を可変に出来る。第５に関しては適用周波数帯域を切り替え可能なアダプティブ・アレイ・アンテナ(adaptive Array antenna)は不要周波数を除去する。
【００５１】
図４はGPSによる位置検出を行って被干渉周波数帯を取り除く動作を示すフローチャートである。
図４において、通信前に通信準備を行う。まず、GPS受信機21で無線機である受信装置の位置検出を行う(ステップＳ１)。具体的には、GPS受信機21はアンテナ２０を介して受信装置の位置検出を行って、中央制御部１５の位置検出部１６は、ＧＰＳ受信機２１により検出された位置情報を検出して取り込む。
【００５２】
次に、その位置情報を使ってメモリ２２内部の干渉を与えると予測される周波数帯を特定する(ステップＳ２)。具体的には、メモリ参照部１７は、位置検出部１６で検出して取り込まれた位置情報に基づいてメモリ２２に記憶された被干渉周波数帯を参照し、被干渉周波数帯特定部１８は、GPS受信機21により検出された位置情報に対応して、メモリ２２に記憶された被干渉周波数帯から自らの無線通信装置の被干渉周波数帯を特定する。
【００５３】
中央制御部１５はその情報をもとにその周波数成分を除去するようにBPF12又はアンテナ１１に対して制御を行う(ステップＳ３)。具体的には、被干渉部周波数成分除去制御部１９は、被干渉周波数帯特定部１８により特定された被干渉周波数成分を受信信号から除去するようにBPF12又はアンテナ１１に対して制御し、他の通信周波数帯を含む帯域を用いて無線通信を行う際に、自らの無線通信装置の位置情報を用いて、LNA13の信号処理機能に影響を及ぼすような被干渉周波数帯を除去する。
【００５４】
なお、この制御はBPF1２に対して行ってもよいし、アンテナ１１による周波数除去でもよい。
【００５５】
図５は本発明の第２の実施の形態の受信装置の構成を示すブロック図である。
図５において、アンテナ４１からはUWB信号が受信され、BPF42により不要な周波数成分が除去され、LNA43で信号は増幅された後、復調部４４で信号が復号され、復調信号はメモリ５１に供給される。これらの動作は中央制御部４５で制御されている。
【００５６】
図５に示した本発明の第２の実施の形態の受信装置は、図６に示すように受信信号のデータフォーマットの一部に国情報や干渉を受けると予測される周波数情報５３が入っており、その情報５３を元にLNA43が飽和しないような制御を中央制御部４５が行うものである。図６において、５２には同期のためのプリアンブル及び各種ヘッダ情報が入っており、通常はその後に通信データが入るペイロード５４がある。本発明の第２の実施の形態ではそれ以外に干渉除去情報または国情報５３が入っている。
【００５７】
これはDVD(Digital  Versatile  Disc)やゲーム機などで採用されているような地域コードと同様なもので、その地域毎に情報が異なる。受信装置の中央制御部４５はデータの中のこの情報５３を見ることにより、上述のＧＰＳの位置情報と同様にどの周波数帯を除去すれば良いのかを判断し、受信機全体を制御するのである。
【００５８】
図５において、アンテナ４１からはUWB信号が入力し、BPF42により中央制御部４５でデフォルトで設定されている不要な周波数成分が除去され、LNA43で信号は増幅された後、復調部４４で信号が復号される。これらは中央制御部４５で制御されている。
【００５９】
この例では、受信した信号のうち、中央制御部４５で図６で示したデータフォーマットの中から干渉除去情報または国情報５３を抜き取り、その指示に従って中央制御部４５が例えばBPF42又はアンテナ４１を再制御する。除去すべき周波数情報が直接書かれている場合には、その周波数を除去するようにBPF42を制御し、もしそこに国情報が書かれている場合には、1度国情報をメモリ５１に送る。ここには位置情報とそれに対応した排除すべき周波数帯の情報が入っている。この情報に従い、中央制御部４５は例えばBPF42又はアンテナ４１を制御することにより、このUWB受信装置に干渉を与える他システムの周波数帯を除去するのである。
【００６０】
具体的には、中央制御部４５は、復調部４４から出力される出力信号のデータの中から、自らの無線通信装置の位置情報に対する、LNA43の信号処理機能に影響を及ぼす送信パワーレベル以上の通信周波数帯である被干渉周波数情報を抽出する被干渉周波数情報抽出部４７を有して構成される。
【００６１】
また、中央制御部４５は、位置情報に対応して、被干渉周波数情報抽出部４７により抽出された被干渉周波数帯から自らの無線通信装置の被干渉周波数帯を特定する被干渉周波数帯特定部４８を有して構成される。
【００６２】
また、中央制御部４５は、被干渉周波数帯特定部４７により被干渉周波数成分が特定される以前には、予め自らの無線通信装置の位置情報に対応する被干渉周波数成分を初期設定するデフォルト設定部４６を有して構成される。
【００６３】
また、中央制御部４５は、デフォルト設定部４６により初期設定された被干渉周波数成分または被干渉周波数帯特定部４７により特定された被干渉周波数成分を受信信号から除去するように制御する被干渉周波数成分除去制御部４９を有して構成される。
【００６４】
また、中央制御部４５は、被干渉周波数成分除去制御部４９により、他の通信周波数帯を含む帯域を用いて無線通信を行う際に、初期設定された被干渉周波数成分または受信信号のデータ中の被干渉周波数情報を用いて、LNA43の信号処理機能に影響を及ぼすような被干渉周波数帯を除去するように構成される。
【００６５】
また、受信装置は、位置情報に対する、LNA43の信号処理機能に影響を及ぼす送信パワーレベル以上の通信周波数帯である被干渉周波数帯を記憶するメモリ５１を備え、中央制御部４５は、被干渉周波数情報抽出部４７により抽出される情報が位置情報のみのときに、被干渉周波数帯特定部４８は、位置情報に対応して、メモリ５０に記憶された被干渉周波数帯から自らの無線通信装置の被干渉周波数帯を特定するように構成される。
【００６６】
図７は、データ内部の位置情報を使う動作を示すフローチャートである。図７はデータの中に干渉となる周波数除去成分情報が入っている場合の動作である。
【００６７】
図７において、まず通信を開始する際には、デフォルトで設定された周波数帯のみを除去して通信を行う(ステップS11)。これは世界共通で既に決められている2.4GHz帯などとなる。具体的には、中央制御部４５のデフォルト設定部４６は、被干渉周波数帯特定部４７により被干渉周波数成分が特定される以前には、予め自らの無線通信装置の位置情報に対応する被干渉周波数成分を初期設定し、被干渉周波数成分除去制御部４９は、デフォルト設定部４６により初期設定された被干渉周波数成分を受信信号から除去するようにBPF42又はアンテナ４１を制御する。
【００６８】
通信を開始した後は、データ内に入っている干渉周波数帯情報を抜き出す(ステップS12)。具体的には、被干渉周波数情報抽出部４７は、復調部４４から出力される出力信号のデータの中から、自らの無線通信装置の位置情報に対する、LNA43の信号処理機能に影響を及ぼす送信パワーレベル以上の通信周波数帯である被干渉周波数情報を抽出し、被干渉周波数帯特定部４８は、位置情報に対応して、被干渉周波数情報抽出部４７により抽出された被干渉周波数帯から自らの無線通信装置の被干渉周波数帯を特定する。
【００６９】
その周波数成分を除去するように中央制御部が制御する(ステップS13)。具体的には、被干渉周波数成分除去制御部４９は、被干渉周波数帯特定部４７により特定された被干渉周波数成分を受信信号から除去するようにBPF42又はアンテナ４１を制御し、被干渉周波数成分除去制御部４９により、他の通信周波数帯を含む帯域を用いて無線通信を行う際に、初期設定された被干渉周波数成分または受信信号のデータ中の被干渉周波数情報を用いて、LNA43の信号処理機能に影響を及ぼすような被干渉周波数帯を除去する。
【００７０】
また、上述した本実施の形態に限らず、任意に設定したる被干渉周波成分を受信信号から除去するようにBPF又はアンテナを制御するようにしても良い。
【００７１】
この場合、図示はしないが、無線通信装置の受信部は、他の無線通信装置から送信パワーで送信される送信信号を受信して受信信号を出力するアンテナと、アンテナにより出力された受信信号を信号処理するLNA、復調部とを有する無線通信システムにおいて、中央制御部は、自らの無線通信装置の位置に対する、LNAの信号処理機能に影響を及ぼす送信パワーレベル以上の通信周波数帯である被干渉周波数帯をユーザーが自ら任意に設定する任意設定部と、任意設定部により任意に設定された被干渉周波数成分を受信信号から除去するように制御する被干渉周波数成分除去制御部とを備え、他の通信周波数帯を含む帯域を用いて無線通信を行う際に、任意に設定された被干渉周波数情報を用いて、LNAの信号処理機能に影響を及ぼすような被干渉周波数帯を除去するように構成される。
【００７２】
すでに述べたように、近年、Ultra Wideband通信方式に代表される広帯域通信システムの開発が活発である。このシステムでは受信機側のLNA(Low Noise Amp)が飽和しないように、帯域制限フィルタ等で他のシステムが存在する周波数成分を除去するのが普通である。本実施の形態では、GPS(Global Positioning System)などの位置情報を使うことにより、リアルタイムにこの制御を行うシステムを提案した。
【００７３】
まずGPSによる位置情報を使い、その情報から周辺の干渉を与えるであろう周波数帯を予測し、受信機内でLNAが飽和しないように、その周波数成分を除去する。その方法はBPF制御、アンテナ制御、アダプティブアレーアンテナ制御が考えられる。これによりUWBのような広帯域通信システムでも干渉の影響を受けずに通信をすることが可能になる。
【００７４】
応用例としては、データの中に干渉を与えるであろう周波数帯が入れられており、この指示に従って同様の制御で周波数成分を除去する方法を示した。またユーザーの任意設定により除去周波数帯を任意に設定することも示した。
【００７５】
なお、上述した本実施の形態では、UWＢ通信方式の広帯域無線通信に適用される無線装置の受信装置について説明したが、これに限らず、他の無線方式、例えば、IEEE802.11規格,ワイヤレスIEEE1394規格の無線通信に適用される無線装置の受信装置についても適用することができることは言うまでもない。
これにより、例えば、UWB通信方式に代表される広帯域通信システムにおいて、被干渉を防止するために、帯域制限フィルタ等で他のシステムが存在する周波数成分を除去するなどの工夫をする際に、本発明では、位置検出手段として例えばGPS(Global  Positioning  System)などの位置情報を使うことにより、リアルタイムに信号処理手段の信号処理機能に影響を及ぼすような被干渉周波数帯を除去する制御を行うことができ、この際、例えば、GPSのような位置を検出する位置検出手段を内蔵し、例えば帯域制限周波数を制御可能な帯域制限フィルタと、位置に応じた帯域制限周波数制御情報を記憶した記憶手段としてのメモリを通信機に内蔵し、位置に応じて帯域制限フィルタを信号処理手段の信号処理機能に影響を及ぼすような被干渉周波数帯を除去する制御することができる。
【００７６】
図９に本発明の他の実施の形態によるアドホックネットワークの構成例を示す。
このアドホックネットワークは、図で示した通信装置９１から通信装置９７の様に、複数の無線通信装置が空間上に配置され、近隣に存在する通信装置とは直接通信を行なえる構成になっている。アドホックネットワークは、自律分散型のネットワークであり、制御局やアクセスポイントを有しないものである。
【００７７】
ここで、通信装置９１は、その電波到達範囲９０（９１を中心とした楕円の破線内）にある近隣の通信装置９２、９３、９４と直接通信ができるが、その範囲外の通信装置９５、９６、９７とは直接通信ができない構成になっている。
【００７８】
さらに、通信装置９２は、同じ様に近隣にある通信装置９１、９４と直接通信ができるが、その他の通信装置、９３、９５、９６、９７とは直接通信ができない構成になっている。また、通信装置９３は、同じ様に近隣にある通信装置９１、９６、９７と直接通信ができるが、その他の通信装置、９２、９４、９５とは直接通信ができない構成になっている。また、通信装置９４は、同じ様に近隣にある通信装置９１、９２、９５と直接通信ができるが、その他の通信装置、９３、９６、９７とは直接通信ができない構成になっている。
【００７９】
また、通信装置９５は、同じ様に近隣にある通信装置９４とのみ直接通信ができるが、その他の通信装置、９１、９２、９３、９６、９７とは直接通信ができない構成になっている。また、通信装置９６は、同じ様に近隣にある通信装置９３とのみ直接通信ができるが、その他の通信装置、９１、９２、９４、９５、９７とは直接通信ができない構成になっている。また、通信装置９７は、同じ様に近隣にある通信装置９３とのみ直接通信ができるが、その他の通信装置、９１、９２、９４、９５、９６とは直接通信ができない構成になっている。
【００８０】
図１０に本発明の他の実施の形態によるアドホックネットワークのスーパーフレーム構成例を示す。
このスーパーフレーム構成は、所定の時間間隔で周期的なビーコン信号を送信することでスーパーフレームが定義される。
さらに、このスーパーフレームは、各無線通信装置９１〜９７が独自にスーパーフレーム構成を設定することとし、近隣に存在する無線通信装置のスーパーフレーム構成と開始タイミングが重ならないように設定される。
【００８１】
つまり、図10Ａにおいて、無銭通信装置９１では、近隣にある通信装置９２、９３、９４のビーコン信号（N2、N3、N4）を受信し、それらのビーコン信号と重ならないタイミングで自身のビーコン信号（B1）を送信して、次のビーコン信号送信タイミング（B1’）までの周期を自己のスーパーフレーム周期(SF1)として設定する。
【００８２】
また、同様にして、図10Bにおいて、通信装置９２では、近隣にある通信装置９１、９４のビーコン信号（N1、N4）を受信でき、自己のスーパーフレーム周期(SF2)として設定し、図10Cにおいて、通信装置９３では、近隣にある通信装置９１、９６、９７のビーコン信号（N1、N6、N7）を受信でき、自己のスーパーフレーム周期(SF3)として設定し、図10Dにおいて、通信装置９４では、近隣にある通信装置９１、９２、９５のビーコン信号（N1、N2、N5）を受信でき、自己のスーパーフレーム周期(SF4)として設定する。
【００８３】
図１１は、本発明の他の実施の形態による無線通信装置の構成例を示した図である。
この無線通信装置は、アプリケーションを実行する機器との間で情報を送受するインターフェース111、アプリケーションからのデータ及び他の通信装置から送られてきたデータを格納するデータバッファ112、さらに本発明の他の本実施の形態の特徴である第2の通信システムの信号から位置を判定する現在地域情報解析部113、第2の通信システムの下り制御信号を受信するために用意される第2の通信システム無線受信部114、変調処理を施された信号を送信したり他の通信装置からの信号を受信したりする為のアンテナ115、格納されたデータを所定のフォーマットへ変換し変調処理を施す第1の通信システム無線送信部116を有している。
【００８４】
また、この無線通信装置は、現在の位置から第1の通信システムのパラメータを設定する第1の通信システムパラメータ設定部117、他の通信装置からの信号を復調して所定のデータ情報を抽出する第1の通信システム無線受信部118、抽出したデータ情報からユーザーデータであるか制御情報であるかを解析する受信信号解析部119、この無線通信装置の全ての動作を所定の実行命令にて指示し全ての動作状態を管理する中央制御部120、第1の通信システムが稼動状態にある事を知らしめる送信ビーコン情報を生成するビーコン生成部121、受信した信号から周囲の通信装置から送られたビーコン信号を抽出して解析するビーコン解析部122、一連の制御プログラムや国際識別情報や地域識別情報にリンクしてパラメータ設定情報が格納される情報記憶部123、を有して構成されている。情報記憶部123は、例えば、国際識別情報123-1、地域識別情報123-2、パラメータ設定情報123-３を有している。ここで、図１１に示す現在地域情報解析部113は図1に示した地域情報取得部2に対応し、図１１に示す中央制御部120は図1に示した地域情報判断部３に対応し、図１１に示す情報記憶部123は図1に示した情報記憶部４に対応し、図１１に示す第1の通信システムパラメータ設定部117は図1に示した通信パラメータ制御設定部５に対応する。
【００８５】
図１２は、第1の無線通信システムにおける、スーパーフレーム内の通信領域構成例を示した図である。
このスーパーフレーム周期127では、ほぼ周期的にくり返し送信されるビーコン信号124（Beacon）によってスーパーフレームの開始位置（タイミング）が定義される。さらに、このビーコン信号124に続いて所定の時間にわたり、自己から優先的に信号を送信したり、相手から特定の信号を受け取ったりすることのできる優先アクセス期間125（Priority Access Period）が設定される。そして、所定の時間である優先アクセス期間を経過すると、任意に利用が可能な競合アクセス期間126（Contention Access Period）が設定される。
【００８６】
図１３は、第2の無線通信システムにおける下り制御信号の情報構成例である。
ここでは、本発明の他の実施の形態の説明に利用される部分だけを抜粋して説明する。
この下り制御信号の構成要素は、例えば国単位で１つの値が設定されるSID（System Identify）131と、例えば、所定の地理的な境界単位あるいはオペレーター単位で設定されるNID（Network Identify）132、さらに基地局ごとに設定されるBSID（Base Station Identify）133、この信号が送信された時刻情報であるタイムスタンプ（Time Stamp）134、所定の誤り訂正符号もしくは誤り訂正符号であるフレームチャック（Frame Check）135などから構成される。
【００８７】
図１４は、第1の無線通信システムにおけるビーコン信号のフレーム構成例である。
ここでは、ビーコン信号はこの信号の受信先アドレスに対するブロ−ドキャスト送信されるものであることとし（受信先Address Broadcast141）、送信元アドレスを自己のアドレスAddressとして設定（送信元Address142）する。さらに、ビーコン信号は、これらの誤り検出のためのヘッダーチェック（Header Check）143、ビーコン信号であることを識別するビーコン識別子（Beacon識別子）144、この信号の情報長を表わす情報レングス（情報Length）145、さらにこの部分までの誤り検出のためのヘッダーチェック（Header Check）146、近隣に存在する通信装置のビーコン信号送信タイミングを示した近隣通信装置存在情報147、さらに本発明の他の本実施の形態による優先利用領域の設定の有無を示した優先利用領域存在情報148、などから構成され、末尾にこのフレームの誤り検出を行なうフレームチェック（Frame Check）149を付加して構成される。
なお、ここに記載した情報のほかに必要に応じて他の情報が含まれてビーコン信号が構成されても良い。
【００８８】
図１５は、本発明の他の実施の形態の無線通信システムの概要として、セルラー通信網と自律分散型ネットワークの構成例を示す図である。
ここでは、第1の無線通信システムとして、自律分散型アドホックネットワークとして、無線パーソナルエリアネットワーク153を運用する場合に、第2の無線通信システムとしてセルラー通信網151の無線通信システムの基地局152からの信号を受信し、その地域で利用可能な周波数帯域や信号形式、送信出力などを設定する動作を模式的に示した図である。
【００８９】
図１６は、複数の無線通信システムの周波数帯域による分布を示した図である。
ここでは、900MHz帯と1.9GHz帯にセルラー通信システム161が存在し、2.4GHz帯や5GHz帯に無線LAN通信システム162が存在し、3.1GHzから10.6GHzの超広帯域にわたり、ウルトラワイドバンド無線通信システム163が存在する様子を表わしている。
【００９０】
図１７は、本発明の他の実施の形態によるウルトラワイドバンド無線通信システムの起動シーケンス例を示した図である。
ここでは、172に示すウルトラワイドバンド無線通信装置−１が起動する場合に、Ｔ１時点で、172に示すウルトラワイドバンド無線通信装置−１は所定のセルラー通信システムにある基地局171からの電波を受信し、その信号に含まれる下り制御情報174を解析し、地域識別情報である、システム識別子：SIDと、ネットワーク識別子：NIDなどのパラメータを獲得する。
【００９１】
そして、Ｔ２時点で、172に示すウルトラワイドバンド無線通信装置−１は、175に示すようにそのパラメータをウルトラワイドバンド無線通信システムのパラメータテーブルに参照して、当該地域で利用可能な、ウルトラワイドバンド無線通信システムの周波数帯域・信号形式・送信出力等のパラメータを設定する。
【００９２】
さらに、Ｔ３時点で、172に示すウルトラワイドバンド無線通信装置−1では、176に示すように設定されたパラメータで、所定のビーコン信号の送信を開始し、アドホックネットワークを形成する。
【００９３】
他方、172に示す既存のウルトラワイドバンド無線通信装置−1が所定のビーコン信号が存在する環境下において、Ｔ３時点で、173に示す新たにウルトラワイドバンド無線通信装置−２が起動する場合は、前記172に示すウルトラワイドバンド無線通信装置−1からのビーコン信号176を受信し、そのパラメータ設定に従って、Ｔ４時点で、173に示すウルトラワイドバンド無線通信装置−２も所定のビーコン信号177の送信を開始し、アドホックネットワークを形成するシーケンスを示している。
【００９４】
図１８は、本発明の他の実施の形態による無線通信装置の初期設定動作フローチャートを表わした図である。
本発明の他の実施の形態による無線通信装置は、電源投入時にまず第1の無線通信システムの受信動作を行なう（ステップS21）。そこで所定のビーコン信号を受信しなければ（ステップS22）、第２の無線通信システムの受信動作を行なう（ステップS23）。このとき、所定の下り制御情報信号を受信した場合には（ステップS24）、その中から国識別情報と地域識別情報を獲得し（ステップS25）、その情報を事前に格納してある第1の無線通信システムのパラメータテーブルを参照し、該当する国・地域のパラメータ設定の登録があるか確認し（ステップS26）、登録があれば当該地域識別情報の設定を獲得する（ステップS27）。
【００９５】
さらに、複数の第２の無線通信システムにおける下り制御情報信号を受信した場合には（ステップS28）、受信品質が良好な当該地域識別情報の設定を有効とし（ステップS29）、その当該地域識別情報を第1の無線通信システムのパラメータとして設定する（ステップS30）。また、第1の無線通信システムの受信動作で、所定のビーコン信号を受信した場合には、その既存のパラメータを第1の無線通信システムのパラメータとして設定する（ステップS31）。あるいは、第２の無線通信システムの受信動作で、所定の下り制御情報信号を受信しなかった場合と、該当する国・地域のパラメータ設定の登録がなかった場合には、汎用パラメータを第1の無線通信システムのパラメータとして設定する（ステップS32）。
【００９６】
そして、各々設定された第1の無線通信システムのパラメータに従って所定のビーコン信号を構築して、自己の設定したビーコン送信タイミングが到来した場合に（ステップS33）、第1の無線通信システムのビーコン信号を送信し（ステップS34）、第1の無線通信システムを用いた無線アドホックネットワークとして動作を開始する。
【００９７】
図１９は、本発明の他の実施の形態による第1の無線通信システムにおけるパラメータテーブルの構成例を示した図である。
ここでは、第2の無線通信システムにおける国際識別情報191として国識別子：System Identify（SID）192と、地域識別情報として地域識別子：Network Identify（NID）193と、各基地局識別情報：Base Station Identify（BSID）194等と、それぞれに関連付けられた第１の無線通信システムにおけるパラメータ214として、周波数帯域（Plan A〜G）215、信号形式（Type A〜G）216、送信出力（Level A〜Z）217が定義されることを例示している。
【００９８】
ここで、国識別子：System Identify（SID）192は、米国（US）195、日本(JP)199、欧州（EU）209から構成される。地域識別子：Network Identify（NID）193は、米国（US）195では西海岸196、中西部197、東部198から構成され、日本(JP)199では北海道200、東北201、関東202、中部203、北陸204、近畿205、中国206、四国207、九州208から構成され、欧州（EU）209では独逸210、英吉利211、仏蘭西212、瑞典213から構成される。
【００９９】
これらのパラメータは図で示しているように、各国のレギュレーションに従ってパラメータが割り振られ、さらに、各地域毎にもより詳細なパラメータを割り振ることができる構成を示している。
【０１００】
つまり、地域識別子よりも細かい基地局単位でのパラメータを設定することも可能であり、例えば、電波信号によりセンシティブに反応する施設がある近傍では、第1の無線通信システムにおける送信出力を制限するなどの施策が容易に取れる。
【０１０１】
このテーブルは図11に示した無線通信装置の情報記憶部123に格納されるものであるが、第2の無線通信システムにおける地域識別子：Network Identify（NID）193と、各基地局識別情報：Base Station Identify（BSID）194等の割当てに変更があるたびに、最新の設定テーブルに第１の無線通信システムもしくは、第2の無線通信システムを通じて所定の更新コマンドが発行されて、逐次更新される構成を取っても良い。
【０１０２】
上述した本発明の他の実施の形態の第２の無線通信システムにおける所定の信号を受信し、該信号より無線通信装置の現在位置を把握し、その位置情報に基づいて第1の無線通信システムの利用可能な周波数帯や信号形式や送信出力を設定することで、既存の第1の無線通信システムが存在していない空間上でも、新たに第1の無線通信システムを運用する事が可能になるという効果を奏する。
【０１０３】
また、第２の無線通信システムとして、セルラー無線通信システムの基地局からの信号を受信して判別する事で、その国識別情報から、その国で利用が認められた周波数帯や信号形式や送信出力を設定できるという効果を奏する。
【０１０４】
これより、事前の設定を行なうことなく、その国のレギュレーションに従った周波数帯や信号形式や送信出力でUWB通信システムの運用ができるという効果を奏する。
【０１０５】
さらに、第２の無線通信システムの位置情報を国よりも細かい地域で判別し、例えば第1の無線通信システムの運用が制限される地域を特定する場合に、利用が制限すべき地域を特定することができるという効果を奏する。
【０１０６】
これより、センシティブな無線通信システムが存在する地域などで、UWB通信システムの運用を制限させる機能を備えることができる。
【図面の簡単な説明】
【０１０７】
【図１】本発明の実施の形態に適用される無線通信システムの構成図を示す。
【図２】本実施の形態に適用される受信装置の構成を示すブロック図である。
【図３】メモリに記憶される国別の被干渉周波数帯を示すテーブルを示す図である。
【図４】ＧＰＳによる位置検出を行って被干渉周波数帯を取り除く動作を示すフローチャートである。
【図５】他の受信装置の構成を示すブロック図である。
【図６】データフォーマットの構成例を示す図である。
【図７】データ内部の位置情報を使う動作を示すフローチャートである。
【図８】各国の５ＧＨｚ帯周波数例を示す図であり、図７Ａは欧州、図７Ｂは米国、図７Ｃは日本である。
【図９】アドホックネットワークの構成図である。
【図１０】アドホックネットワークのスーパーフレーム構成例を示す図であり、図10Ａは無銭通信装置９１のスーパーフレーム周期(SF1)、図10Bは通信装置９２のスーパーフレーム周期(SF2)、図10Cは通信装置９３のスーパーフレーム周期(SF3)、図10Dは通信装置９４のスーパーフレーム周期(SF4)である。
【図１１】本発明の他の実施の形態による無線通信装置の構成例を示す図である。
【図１２】第1の無線通信システムにおけるスーパーフレーム内の通信領域構成例を示す図である。
【図１３】第2の無線通信システムにおける下り制御信号の情報構成例を示す図である。
【図１４】第1の無線通信システムにおけるビーコン信号のフレーム構成例を示す図である。
【図１５】セルラー通信網と自律分散型ネットワークの構成例を示す図である。
【図１６】複数の無線通信システムの周波数帯域による分布を示す図である。
【図１７】ウルトラワイドバンド無線通信システムの起動シーケンス例を示す図である。
【図１８】無線通信装置の初期設定動作フローチャートである。
【図１９】第1の無線通信システムにおけるパラメータテーブルの構成例を示す図である。
【符号の説明】
【０１０８】
１…無線通信システム、２…地域情報取得部、３…地域情報判断部、４…情報記憶部、５…通信パラメータ制御設定部、１１…アンテナ、12…BPF、13…LNA、14…復調部、１５…中央制御部、１６…位置検出部、１７…メモリ参照部、１８…被干渉周波数特定部、１９…被干渉周波数成分除去制御部、２０…アンテナ、21…GPS受信機、２２…メモリ、１１３…現在地域情報解析部、１２３……情報記憶部、１２０…中央制御部、１１７…第１の通信パラメータ設定部
【図１】
2004274723.tif 000003
【図２】
2004274723.tif 000004
【図３】
2004274723.tif 000005
【図４】
2004274723.tif 000006
【図５】
2004274723.tif 000007
【図６】
2004274723.tif 000008
【図７】
2004274723.tif 000009
【図８】
2004274723.tif 000010
【図９】
2004274723.tif 000011
【図１０】
2004274723.tif 000012
【図１１】
2004274723.tif 000013
【図１２】
2004274723.tif 000014
【図１３】
2004274723.tif 000015
【図１４】
2004274723.tif 000016
【図１５】
2004274723.tif 000017
【図１６】
2004274723.tif 000018
【図１７】
2004274723.tif 000019
【図１８】
2004274723.tif 000020
【図１９】
2004274723.tif 000021